(57)【要約】【課題】省資源の観点から配設するブロック間に隙間を設ける方法において、樹脂製の盤体と盤体に開口する脚部からなるブロックの筒状脚部内部に挿入する補強体の安定化と垂直・水平方向のクリープ特性の強化方法に関する。【解決手段】ブロックを上下に配列して得られた柱体を間隔を開けて立設し、その周囲を壁材で囲って、上記柱体の上部を天材で覆って地下に埋設した雨水の流出抑制用施設の貯留槽構築用の貯留空間において、前記柱体の上部に表面に辺に平行に辺より中心に向かう案内部１および対角線に沿った案内部２を有する天台ブロックを載置し、相対面する柱体の天台ブロック上に天板支持板１を案内部1を介し2つの天台ブロックを連結するよう配設し、相対角する盤体上に天板支板２を案内溝2を介し２つの天台ブロックを連結するよう配設し、天板支持板１，２を介し複数の天台ブロックを覆うように天板を配設した雨水の流出抑制用施設の貯留槽構築用の貯留空間である。【選択図】図２
2019138081.tif 000002
【特許請求の範囲】
【請求項１】
ブロックを上下に配列して得られた柱体を間隔を開けて立設し、その周囲を壁材で囲って、上記柱体の上部を天材で覆って地下に埋設した雨水の流出抑制用施設の貯留槽構築用の貯留空間において、前記柱体の上部に表面に辺に平行に辺より中心に向かう案内部１および対角線に沿った案内部２を有する天台ブロックを載置し、相対面する柱体の天台ブロック上に天板支持板１を案内部1を介し2つの天台ブロックを連結するよう配設し、相対角する盤体上に天板支持板２を案内溝2を介し２つの天台ブロックを連結するよう配設し、天板支持板１，２を介し複数の天台ブロックを覆うように天板を配設した雨水の流出抑制用施設の貯留槽構築用の貯留空間。
【発明の詳細な説明】
【技術分野】
【０００１】
本発明は、雨水の流出抑制用施設の貯留槽構築用の貯留空間の天井部を覆う技術に属する。
【背景技術】
【０００２】
一時的に雨水を貯留し、徐々に流出させる雨水流出抑制施設を樹脂製のブロックを地下に配設して構築する方法が広く普及している。さらに省資源を図る必要性も存在する。そのためブロックを上下に配列した柱体を間隔を設けて配列する方法を提案した。特開2008-280775
このように柱体の間隔を開けると必要とする天板が大きくなる。大きな天板を支持する手段が求められる。
【先行技術文献】
【特許文献】
【０００３】
【特許文献１】特開2008-280775
【発明の開示】
【発明が解決しようとする課題】
【０００４】
省資源の観点から配設するブロック間に隙間を設ける方法では、必要とする天板が大きくなる。大きな天板を支持する手段の提案にある。
【課題を解決するための手段】
【０００５】
本発明は、ブロックを上下に配列して得られた柱体を間隔を開けて立設し、その周囲を壁材で囲って、上記柱体の上部を天材で覆って地下に埋設した雨水の流出抑制用施設の貯留槽構築用の貯留空間において、前記柱体の上部に表面に辺に平行に辺より中心に向かう案内部１および対角線に沿った案内部２を有する天台ブロックを載置し、相対面する柱体の天台ブロック上に天板支持板１を案内部1を介し2つの天台ブロックを連結するよう配設し、相対角する盤体上に天板支持板２を案内溝2を介し２つの天台ブロックを連結するよう配設し、天板支持板１，２を介し複数の天台ブロックを覆うように天板を配設した雨水の流出抑制用施設の貯留槽構築用の貯留空間である。
【発明の効果】
【０００６】
本発明は、ブロックを上下に配列して得られた柱体を間隔を開けて立設し、その周囲を壁材で囲って、上記柱体の上部を天材で覆って地下に埋設した雨水の流出抑制用施設の貯留槽構築用の貯留空間において、前記柱体の上部に表面に辺に平行に辺より中心に向かう案内部１および対角線に沿った案内部２を有する天台ブロックを載置し、相対面する柱体の天台ブロック上に天板支持板１を案内部1を介し2つの天台ブロックを連結するよう配設し、相対角する盤体上に天板支板２を案内溝2を介し２つの天台ブロックを連結するよう配設し、天板支持板１，２を介し複数の天台ブロックを覆うように天板を配設した雨水の流出抑制用施設の貯留槽構築用の貯留空間であるため以下の効果がある。
１．柱体を連結する支持体を介し天板を載置するため天板の荷重を支えることができる。
【図面の簡単な説明】
【０００７】
【図１】は、天台ブロックの概念図である。
【図２】は、天台ブロックと天板支持板１，２の相互配置を示す概念図の例１である。
【図３】は、天台ブロックと天板支持板１，２の相互配置を示す概念図の例２である。
【図４】は、天台ブロックと天板支持板１，２の相互配置を示す概念図の例３である。
【図５】は、天板の配設を示す概念図の例1である。
【図６】は、天板の配設を示す概念図の例２である。
【図７】は、貯留空間を示す概念図である。
【図８】は、本発明の貯留空間を使用した雨水流出用の貯留槽の例を示す概念図である。
【図９】は、ブロックの例を示す。
【発明を実施するための形態】
【０００８】
以下、本発明を図により詳細に説明する。
図1は、天台ブロックを示す概念図である。
天台ブロックの表面には案内部として溝が設けられている。案内部は天板支持板を所定の位置に収めるために使用されるので、両側に設ける凸部であってもよい。
天台ブロックの表面には天台ブロックの辺に平行な案内溝１がその中心に設けられ、対角線上には案内溝２、３が設けられている。案内溝２は天台ブロックの中心部で分断され、案内溝３は対角線上を通過している。案内溝２は別に示すとおり複数本あってもよい。
【０００９】
図2は、柱体の上に載置した天台ブロックとその上に張設した天板支持体の配置を示す例1である。
天板支持材は板状もしくは角状であり、天板支持体１は、相対面する天台ブロックの案内溝1を介して2つの天台ブロックを連結するように配設される。
天板支持体２は、相対角する天台ブロックの案内溝2を介して2つの天台ブロックを連結するように配設される。
【００１０】
図３は、柱体の上に載置した天台ブロックとその上に張設した天板支持体の配置を示す例２である。
例1と異なる点は、天台ブロック表面には天台ブロックの辺に平行な案内溝１が2本設けられていることである。対角線上には案内溝２、３が設けられている。案内溝２は天台ブロックの中心部で分断され、案内溝３は対角線上を通過している点はかわらない。
2個の天板支持体１で、相対面する天台ブロックの2本の案内溝1を介して2つの天台ブロックを連結するように配設される。
天板支持体２は、相対角する天台ブロックの案内溝2を介して2つの天台ブロックを連結するように配設される点は同じである。
【００１１】
図４は、柱体の上に載置した天台ブロックとその上に張設した天板支持体の配置を示す例３である。
図２および図３と異なる点は、天板支持板が一つの天台ブロックの両対角線上に配設されているのみで他の対角線上に配設された天板支持板の近傍まで延びている点にある。天板支持体上に配設する天板の支持を強化するものである。
【００１２】
図５、図６は、天台ブロック上に配設された天板支持板上に配設された状態を示している。いずれの場合も複数の天台ブロックを覆うように配設される。
【００１３】
図７は、ブロックを上下方向に配設して得られた柱体上に天台ブロックを配設し、天板支持体をを介して天板を敷設して得られた構造体の周囲を壁材で囲んだ貯留空間を示している。図では柱体同士を接続する手段は示されていないが、継手などを使用して連結することは当出願人が提案した従来技術が使用できる。
【００１４】
図８は、本貯留空間をシート類で包み、泥だめます、流入・流出管、オリフィスますなど必要な付帯設備を合わせ、雨水などの流出抑制用の貯留槽を示している。浸透槽とするならば透水シート、貯留槽とするならば遮水シートを使用することは従来通りである。
【００１５】
本発明に使用されるブロックは、盤体に開口する脚部を有するあるいは枠体と脚部からなるブロックが使用される。脚部の形状は、断面円形、正方形などの多角形、梅鉢状に周囲に張り出したもの、また上記の形状を複数組み合わせたものが利用可能である。ブロックの材質は樹脂製あるいは金属製など、水に耐性があり、要求される強度を満たす材質なら使用可能である。図９に脚部断面が正方形である例を示す。
天台ブロックは平板状で天板支持体をその上部に配設するための案内部を形成する厚みと、地中に埋設するため上部の土被圧に耐える材質であればよく、金属製、コンクリート製が使用できる。
天板支持板、天板も上記同様に、地中に埋設するため上部の土被圧に耐える材質であればよく、金属製、コンクリート製、樹脂製など要求される条件に合わせ選択使用できる。
【産業上の利用可能性】
【００１６】
雨水の流出抑制施設に使用される一時的貯留槽、汚染水などの一時貯留槽として使用される。
【符号の説明】
【００１７】
１  ブロック
２  天台ブロック
３  案内部１
４  案内部２
６  天板支持体１
７  天板支持体２
８  天板
９  柱体
10  壁
【図１】
2019138081.tif 000003
【図２】
2019138081.tif 000004
【図３】
2019138081.tif 000005
【図４】
2019138081.tif 000006
【図５】
2019138081.tif 000007
【図６】
2019138081.tif 000008
【図７】
2019138081.tif 000009
【図８】
2019138081.tif 000010
【図９】
2019138081.tif 000011